(57)【要約】【課題】軽量、小型かつ騒音が少なく、携帯に便利でファッション性に優れ、歯ブラシ体の簡易な着脱構造を有する電動歯ブラシを提供する。【解決手段】一方側の連結部１１の先端に振動伝達杆を有し、他方側に乾電池の格納部が形成され、中間域において駆動モータを内蔵するとともにその外周面に外部カバーが嵌合一体化された本体１と、前記格納部を囲繞し開放側端部が前記本体の他方側に嵌合される本体カバー体２と、前記振動伝達杆に着脱自在に連結される歯ブラシ体４と、該歯ブラシ体を囲繞し開放側端部が前記本体の一方側に嵌合される歯ブラシケース体３とからなる電動歯ブラシ。【選択図】図２
2011067675.tif 000002
【特許請求の範囲】
【請求項１】
本体に対して、一方の端部が開放された本体カバー体と、歯ブラシ体と、一方の端部が開放された歯ブラシケース体とを夫々凹凸嵌合して構成される携帯電動歯ブラシであって、
前記本体は、一方側には先端に振動伝達杆を有する連結部をなし、他方側には乾電池の格納部が形成されており、中間域には駆動モータを内蔵するとともにその外周面に外部カバーが嵌合一体化されており、
前記本体カバー体は、前記本体の乾電池格納部を囲繞し前記開放された一方の端部が前記本体の前記他方側に嵌合されており、
前記歯ブラシ体は、前記本体の前記一方側の振動伝達杆に着脱自在に連結されており、
前記歯ブラシケース体は、前記歯ブラシ体を囲繞し前記開放された一方の端部が前記本体の前記一方側の連結部に嵌合されており、
前記本体外周面の外部カバーの一方側の前記連結部の外縁には、前記歯ブラシケース体が凹凸嵌合により結合されており、前記本体の外部カバーの他方側には前記本体カバー体の開放側の端部内面が凹凸嵌合により結合されており、さらに前記本体の外部カバーの前記他方側にはＯリングが配置され、このＯリングを介して前記本体に対して前記本体カバー体が防水嵌合されていることを特徴とする電動歯ブラシ。
【請求項２】
前記本体カバー体、前記外部カバーおよび前記歯ブラシケース体の表面は金属光沢を有する色彩を施され、前記本体カバー体と前記歯ブラシケース体を同一色彩として前記外部カバーの色彩とは異ならしめたことを特徴とする請求項１記載の電動歯ブラシ。
【発明の詳細な説明】
【技術分野】
【０００１】
本発明は、軽量、小型で、かつ騒音が少なく携帯に便利な振動式の電動歯ブラシに関する。
【背景技術】
【０００２】
近年、口腔衛生の意識が高まり、家庭内には止まらず職場や旅行先などでも歯磨きを行うことが多くなっている。このため、歯ブラシには、静粛性があり、軽量かつ小型で携帯への利便性に加え、特に女性や若年層にはファッション性が要求される。また、歯ブラシとしては、歯全体にわたりきめ細かい清掃ができることから電動式歯ブラシが好適であるが、歯ブラシ体の着脱が簡易に行えることも重要な要素である。
【０００３】
このため、携帯用に供するためにキャップ付としたものや、取替用の歯ブラシを本体部に確実に接続する構造が種々提案されている。キャップ付の電動歯ブラシとしては、たとえば特許文献１、特許文献２に開示されているが、いずれも外形形状が円形もしくはほぼ円形の柱状体であるが故に取り扱い時における転動の問題があり、さらにファッション性にも満足できるものではなかった。
【０００４】
また、歯ブラシ体の本体部への取り付けに関しては、特許文献３および特許文献４に開示される接続構造が知られている。前者は、歯ブラシと本体部との間に係止部材を介して接続しており、後者は、歯ブラシ体のプラグ部における連結係合部と本体部のソケット部における連結係合部とを、前記プラグ部先端の突起と前記ソケット部の空隙部との嵌合わせで位置決めするものである。これら特許文献３、４に示された歯ブラシ体と本体部の着脱は、別体の係止部材を必要とするか、連結係合部の他に連結係合部の位置決め手段を必要とするものであった。このように、特許文献３、４の接続では、余分な係止部材が必要となり、あるいは複雑な接続構造となって製造コスト上に問題があった。
【先行技術文献】
【特許文献】
【０００５】
【特許文献１】意匠登録第８４８３９０号公報
【特許文献２】意匠登録第１０８３４２５号公報
【特許文献３】特開２００５−２９６５１５号公報
【特許文献４】特表２００３−５３１６７２号公報
【発明の概要】
【発明が解決しようとする課題】
【０００６】
本発明は、このような電動歯ブラシをさらに改良し、静粛性を有し、携帯に便利で、しかもファッション性に優れると共に、歯ブラシ体の簡易な着脱構造を有する電動歯ブラシを提供することを目的とする。
【課題を解決するための手段】
【０００７】
本発明は、本体に対して、一方の端部が開放された本体カバー体と、歯ブラシ体と、一方の端部が開放された歯ブラシケース体とを夫々凹凸嵌合して構成される携帯電動歯ブラシであって、前記本体は、一方側には先端に振動伝達杆を有する連結部をなし、他方側には乾電池の格納部が形成されており、中間域には駆動モータを内蔵するとともにその外周面に外部カバーが嵌合一体化されおり、前記本体カバー体は、前記本体の乾電池格納部を囲繞し前記開放された一方の端部が前記本体の他方側に嵌合されており、前記歯ブラシ体は、前記本体の前記一方側の振動伝達杆に着脱自在に連結されており、前記歯ブラシケース体は、前記歯ブラシ体を囲繞し前記開放された一方の端部が前記本体の一方側の連結部に嵌合されており、前記本体外周面の外部カバーの一方側の前記連結部の外縁には、前記歯ブラシケース体が凹凸嵌合により結合されており、前記本体の外部カバーの他方側には前記本体カバー体の開放側の端部内面が凹凸嵌合により結合されており、さらに前記本体の外部カバーの前記他方側にはＯリングが配置され、このＯリングを介して前記本体に対して前記本体カバー体が防水嵌合されていることを特徴とする。
【０００８】
また、本発明ではファッション性をより高めるため、前記本体カバー体、前記外部カバーおよび前記歯ブラシケース体の表面は金属光沢を有する色彩が施され、前記本体カバー体と前記歯ブラシケース体を同一色彩として前記外部カバーの色彩とは異ならしめることが好ましい。
【０００９】
さらに、本発明の実施例としては、前記振動伝達杆と前記歯ブラシ体との連結が、前記振動伝達杆に形成した凸部と、前記振動伝達杆を嵌合させる前記歯ブラシ体の空間部の内壁面に形成した、軸方向に延びる第１凹部と該第１凹部の終端から軸方向と直交する方向に延びる第２凹部からなるガイド溝と、前記第２凹部の終端で外縁に通じる貫通穴とからなり、前記ガイド溝を介して前記凸部を前記貫通穴に嵌合させる構造とするのが好ましい。
【発明の効果】
【００１０】
本発明によれば、前記本体の連結部および前記歯ブラシ体は抗菌機能を有し、本体に接続される歯ブラシ体を歯ブラシケース体で覆うものであり、雑菌類の付着・増殖が抑制されるので口腔内衛生面に優れ、職場や旅行先への携帯に便利である。また、外縁形状が８角形柱状を呈しているので取り扱い時での転動が防止でき、歯ブラシケース体の閉鎖側端部に真珠、天然石あるいは人造宝石等の装飾部材を取替自在とした装飾部を配してファッション性を高めている。また、全体の表面に金属光沢の色彩が施され、部分的に異なった色彩とすることで外観上でのアクセントとすればファッション性をさらに高めることができる。
【００１１】
さらに、本発明の実施例の効果としては、本体と歯ブラシ本体の着脱を少ない係合部材で実現することができるので、簡便な着脱操作が可能となり、製造コストを安価にできる。
【図面の簡単な説明】
【００１２】
【図１】本発明における電動歯ブラシの一実施例を示す正面図である。
【図２】歯ブラシケース体を取り外した状態を示す斜視図である。
【図３】本体から歯ブラシ体と本体カバー体とを取り外した状態を拡大して示す斜視図である。
【図４】歯ブラシ体における本体側の端部を拡大して示す端面図である。
【図５】歯ブラシケース体に形成した装飾部の一例を示す拡大説明図である。
【発明を実施するための形態】
【００１３】
本発明の実施例を図面により説明する。
図１は、本発明に係る電動歯ブラシの正面図で、本体１と本体カバー体２および歯ブラシケース体３を示している。これらの外縁形状は８角形柱状となっているので取り扱い時における転動を防止している。また、本体１と本体カバー体２および歯ブラシケース体３は合成樹脂製であり、その表面は金属光沢の色彩が施され、本体カバー体２と歯ブラシケース体３の色彩を同一となし、一方、本体１を違う色彩として色彩的にアクセントを付してファッション性をさらに高めることができる。これら部材への配色は、めっき、蒸着あるいは塗装など、従来から広く知られた表面処理手段を採用することができる。さらに、本体カバー体２または歯ブラシケース体３に、ロゴマーク等の識別マークを印刷してもよい。
【００１４】
図２は、電動歯ブラシから歯ブラシケース体３を取り外した状態を示す斜視図である。
本体１の一方側である連結部１１には歯ブラシ体４が接続されている。歯ブラシケース体３は、その開放側端部に穿設した窪み３ａに、連結部１１の外縁の突起１１ａを嵌合させることで歯ブラシ体４を囲繞して本体１に位置決めすることができる。図中、符号４ｄは、歯ブラシ体４に形成した位置合わせマークを示す。
【００１５】
歯ブラシケース体３の閉鎖側端部には、真珠、天然石あるいは人造宝石等の装飾部材を取替自在に配した装飾部３ｂ（図５参照）が形成されており、装飾部材は、例えばその下面のネジ付脚材を歯ブラシケース体に穿設したネジ穴に螺合するようにすれば、予め用意した種々の装飾部材と交換することができる。
【００１６】
本体１の連結部１１と歯ブラシ体４が抗菌機能を有していることと口腔内への挿入部分を歯ブラシケース体３で覆うことで、この部分での雑菌類の付着・増殖が抑制でき、口腔内衛生が保たれる。抗菌剤としては抗菌効果が高い銀系抗菌剤を使用している。
【００１７】
図３は、本体１から歯ブラシ体４と本体カバー体２とを取り外した状態を拡大して示す斜視図である。本体１の一方側は、先端に振動伝達杆１１ｂを有する連結部１１となし、振動伝達杆１１ｂの外周面には、歯ブラシ体４と接続を確実にするための凸部１１ｃが形成されている。本体１の他方側は、駆動電源としての乾電池５の格納部１１ｄが形成されている。そして、本体１の中間域では小型の駆動モータを内蔵し、中間域外周面は金属光沢の色彩が施された外部カバー１１ｅが嵌合一体化されている。駆動モータとしては分銅型、線ブラシ式の小型モータであることが携帯性、静粛性から好ましい。
【００１８】
また、連結部１１の外縁には、歯ブラシケース体３の窪み３ａと嵌合する突起１１ａが、外部カバー１１ｅの他方側には本体カバー体２の開放側端部内面に形成された窪み（図示せず）と嵌合する突起１１ｆが、それぞれ形成されている。さらに、外部カバー１１ｅの他方側にはＯリング（図示省略）が配置され、このＯリングを介して本体１に本体カバー体２が嵌合一体化するので、本体内部での防水性に優れている。
【００１９】
符号６は操作スイッチを示し、押下の繰返し操作でスイッチＯＮとスイッチＯＦＦを繰り返す構造となっている。なお、操作スイッチ６は、本体カバー体２を本体１に接続したとき、図示省略したが、本体カバー体２の反開放側端部に形成した透穴から、この透穴を覆う薄膜フィルムと共に本体カバー体２の外側に若干突出した状態になっている。図中、符号１１ｇは、連結部１１に形成した位置合わせマークを示す。
【００２０】
図４は、歯ブラシ体４の本体側の端部を拡大して示す端面図である。歯ブラシ体４の端部には振動伝達杆１１ｂを嵌合させる空間部４ａが設けられており、その内壁面には、振動伝達杆１１ｂの凸部１１ｃの嵌入を許容する軸方向の第１凹部４ｂ−１と第１凹部４ｂ−１の終端から軸方向と直交する方向の第２凹部４ｂ−２からなるガイド溝４ｂと、第２凹部４ｂ−２の終端で外縁に通じる貫通穴４ｃとが形成され、振動伝達杆１１ｂの凸部１１ｃをガイド溝４ｂを介して貫通穴４ｃに嵌合させる構造としている。ここで、第２凹部終端近傍の溝深さは、凸部１１ｃの突出長より若干浅く設計されているので凸部１１ｃを貫通穴４ｃに嵌入係合することができる。
【００２１】
したがって、歯ブラシ体４の本体１への取り付けは、歯ブラシ体４と本体１とを先ず軸方向（図４の紙面垂直方向）へ相対移動させ、次いで軸方向と直交する方向（図４における時計回り方向）へ相対移動させて、歯ブラシ体４の位置合わせマーク４ｄと連結部１１の位置合わせマーク１１ｇを合致させ、一方、取り外すときは、歯ブラシ体４と本体１とを先ず軸方向と直交する方向へ相対移動させ、次いで軸方向へ相対移動させることで実現できる。そして、本体１に対する歯ブラシ体４の位置決め（位置合わせマーク４ｄと１１ｇを合致させた状態）は、軸方向では凸部１１ｃと第２凹部４ｂ−２との係合で、軸方向と直交する方向では凸部１１ｃと貫通穴４ｃとの係合で固定されることになる。なお、凸部１１ｃの第２凹部４ｂ−２での相対移動は、これらの構成材料の弾性変形で可能としている。
【符号の説明】
【００２２】
１  本体
２  本体カバー体
３  歯ブラシケース体
４  歯ブラシ体
５  乾電池
６  操作スイッチ
３ａ  窪み
３ｂ  装飾部
４ａ  空間部
４ｂ  ガイド溝
４ｃ  貫通穴
４ｄ  位置合わせマーク
１１  連結部
１１ａ  突起
１１ｂ  振動伝達杆
１１ｃ  凸部
１１ｄ  格納部
１１ｅ  外部カバー
１１ｆ  突起
１１ｇ  位置合わせマーク
【図１】
2011067675.tif 000003
【図２】
2011067675.tif 000004
【図３】
2011067675.tif 000005
【図４】
2011067675.tif 000006
【図５】
2011067675.tif 000007